(57)【要約】【課題】  施工が容易で且つ外観を阻害することなく、レール破壊による侵入を防止することができるシャッター用ガイドレールを提供する。【解決手段】  本発明のシャッタ−用ガイドレール１は、シャッタースラット７を案内するレール９と、レール９のカバー１１とを備え、レール９は室内側壁１９と、室外側壁１７と、室内側壁１９と室外側壁１７を連結する連結壁２１とを有し、室内側壁１９と室外側壁１７との間にシャッタースラット７の左右側一端部７ａを呑み込んでおり、室外側壁１７は先端部１７ａが櫛状に形成してあり、カバー１１はレール９の室外側に取り付けてあり且つ櫛状部１７ａを被覆している。【選択図】      図１
2005207017.tif 000002
【特許請求の範囲】
【請求項１】
シャッタースラットを案内するレールと、レールのカバーとを備え、レールは室内側壁と、室外側壁と、室内側壁と室外側壁を連結する連結壁とを有し、室内側壁と室外側壁との間にシャッタースラットの左右側一端部を呑み込んでおり、室外側壁は先端部が櫛状に形成してあり、カバーはレールの室外側に取り付けてあり且つ櫛状部を被覆していることを特徴とするシャッタ−用ガイドレール。
【請求項２】
室外側壁の先端部は室内側壁の先端部よりも連結壁側に位置し、室内側壁と連結壁とのコーナは湾曲形状としてあることを特徴とする請求項１に記載のシャッター用ガイドレール。
【請求項３】
カバーの先端部は、室外側壁の先端部よりも連結壁側と反対側に突出し、カバーの先端部と室内側壁の先端部にはシャッタースラットの振れ止め部を設けてあることを特徴とする請求項１に記載のシャッター用ガイドレール。
【発明の詳細な説明】
【技術分野】
【０００１】
本発明は、シャッタースラットの移動を案内するシャッター用ガイドレールに関する。
【背景技術】
【０００２】
バール等によりシャッターのレールを変形させて破壊し、シャッタースラットをレールから外して家屋内に侵入する行為があるため、かかる行為を防止する技術が望まれている。
これに対して、特許文献１には、シャッタースラットを案内するレールの室外側に補強部材を設けた技術が開示されている。
【０００３】
【特許文献１】特開２００３−１６６３８７号公報
【発明の開示】
【発明が解決しようとする課題】
【０００４】
しかし、特許文献１の技術では、補強部材はレールの室外側で地面に立設したり、躯体に固定してレールの室外側に設けるものであるから、施工に手間がかかると共に外観を阻害するという問題がある。
【０００５】
そこで、本発明は、施工が容易で且つ外観を阻害することなく、レール破壊による侵入を防止することができるシャッター用ガイドレールの提供を目的とする。
【課題を解決するための手段】
【０００６】
請求項１に記載の発明は、シャッタースラットを案内するレールと、レールのカバーとを備え、レールは室内側壁と、室外側壁と、室内側壁と室外側壁を連結する連結壁とを有し、室内側壁と室外側壁との間にシャッタースラットの左右側一端部を呑み込んでおり、室外側壁は先端部が櫛状に形成してあり、カバーはレールの室外側に取り付けてあり且つ櫛状部を被覆していることを特徴とする。
【０００７】
請求項２に記載の発明は、請求項１に記載の発明において、室外側壁の先端部は室内側壁の先端部よりも連結壁側に位置し、室内側壁と連結壁とのコーナは湾曲形状としてあることを特徴とする。
【０００８】
請求項３に記載の発明は、請求項１に記載の発明において、カバーの先端部は、室外側壁の先端部よりも連結壁側と反対側に突出し、カバーの先端部と室内側壁の先端部にはシャッタースラットの振れ止め部を設けてあることを特徴とする。
【発明の効果】
【０００９】
請求項１に記載の発明によれば、第三者がバール等（以下単に「バール」という）を室外側からレールとシャッタースラットとの隙間に挿入してレールを変形させてシャッターフラットをレールから外そうとした場合、レールはバールにより室外側壁が押されて変形されるが、室外側壁の先端部が櫛状に形成してあるので、バールが当たった櫛の歯状部分のみが変形するだけでバールが当たっていない歯状部分は変形しないので、２〜３回のバールの押し込みにだけではレールが広範囲に亘って変形できず、シャッタースラットを外すことができない。即ち、本発明では、レールの室外側壁において広範囲に亘る多数の箇所を一つ一つ変形させないとシャッタースラットが外せないため、侵入に時間がかかり、レール破壊による侵入を防止することができる。
レールの外壁を櫛状に形成するだけであるから、従来技術のようにレールと別に補強部材を地面や躯体に固定する必要がないので、施工が容易である。
また、従来技術のようにレールの室外側に別部材を設けることがなく、しかもレールの櫛状部はカバーにより被覆しているので外観が良い。
請求項２に記載の発明によれば、請求項１に記載の効果を奏すると共に、レール内にバールを押し込んで、てこの力でレールを破壊しようとした場合、バールの先端が支点となり、バールと室外側壁先端部との当接部が作用点となるが、バールの先端が連結壁と室内側壁との湾曲に沿って室内側壁の先端側にずれるので、支点と作用点との距離（てこの腕の長さ）が、バールの先端が連結壁と室内側壁との角にある場合に比較して短くなり、作用点に大きな力が作用し難い。
更に、室外側壁の先端部は室内側壁の先端よりも連結壁側にあるので、室外側壁の先端部が室内側壁の先端と同じ位置にある場合に比較して、バールが当接する室外側壁の先端部と支点までの距離（てこの腕の長さ）を短くでき、作用点に大きな力が作用し難い。
したがって、たとえバールでレールの櫛状部の歯部を変形させるにしても、大きな力を必要とするので、レールを変形させ難い。
請求項３に記載の発明によれば、請求項１に記載の効果を奏すると共に、カバーに振れ止め部を設けているので、室外側壁の先端部を櫛状に形成しても、その影響を受けずに簡単に振れ止め部を設けることができ、シャッタースラットの動きを安定にすることができる。
【発明を実施するための最良の形態】
【００１０】
以下に、添付図面を参照して本発明の実施の形態を説明する。図１（ａ）は本実施の形態にかかるシャッター用ガイドレールを備えるサッシの横断面図であり、（ｂ）はレールの室外側壁の一部を室外側から見た正面図であり、図２はシャッター用ガイドレールの作用を説明する図であり（ａ）〜（ｃ）は本実施の形態の作用を示し、（ｄ）は比較例であり、図３は図１（ａ）に示すサッシの縦断面図であり、図４は実施例の変形例を示したレールの室外側壁の正面図である。
本発明の実施の形態にかかるシャッター用ガイドレール１は、サッシ３の室外側に設けたシャッター５に用いられているものであり、シャッタースラット７を案内するレール９とレール９のカバー１１とを備えている。
シャッタースラット７は、シャッター５を開いたときには巻取機１３内に巻き取られており、シャッター５を閉じたときには巻取機１３から下方に引き出される。
レール９は、シャッタースラット７の左右両側にそれぞれ設けてあり、室外側壁１７と、室内側壁１９と、連結壁２１とを有しており、これらの室外側壁１７と室内側壁１９と連結壁２１とで上下方向の溝２３を形成している。
レール９の溝２３内には、シャッタースラット７の左右側端７aが呑み込まれており、シャッタースラット７の上下動を案内するようになっていると共に、シャッター５を閉じたときにはシャッタースラット７の左右側端７aをレール９の溝２３内に保持している。
室外側壁１７は先端部（溝２３の開口側部）１７ａが櫛状になっており、櫛状部の歯部２５と歯部２５との間に隙間２７が形成されている。本実施の形態では、歯部２５の先端は直線状にしてあり、歯部２５、２５間を繋ぐ部分を円弧形状としている。
室外側壁１７の先端部１７ａは室内側壁１９の先端部１９ａよりも連結壁２１側に位置している。
室内側壁１９と連結壁２１とのコーナ２９は湾曲形状としてあり、本実施の形態では円弧形状としてある。
カバー１１は室外側壁１７の室外側に取り付けてあり、室外側壁１７先端部１７ａの櫛状部を覆っている。このカバ−１１は、室外側壁１７に設けてある被係合部３１にカバー１１の係合部３３が係合により固定されている。
カバー１１の先端部は、室外側壁１７の先端部１７ａよりも連結壁２１と反対側に突出している。カバー１１の先端部には、シャッタースラット７の振れ止め部３５が設けてあり、溝２３内にあるシャッタースラット７の端部７ａに当接するようなっている。振れ止め部３５は室内側壁１９側に突出して設けてある。室内側壁１９の先端部１９ａにも振れ止め部３６が設けてあり、室内側と室外側とからシャッタースラット７を振れ止め部３５で挟むようになっている。
【００１１】
次に、本実施の形態にかかるシャッター用ガイドレールの作用効果について説明する。
シャッター５が閉じられているときに、不法に侵入しようとする者が、シャッタースラット７の左右側端を呑み込んでいるレール９をバールＳで変形させて、シャッタースラット７をレール９から外して侵入しようとした場合、図２（ａ）に示すように、室外側からシャッタースラット７と振れ止め部３５との隙間にバールＳを差し込み、レール９の溝２３内に挿入して、バールＳの先端Ｓ１を連結壁２１に当接させる。
次に、バールＳをてこにして、侵入者がバールＳを室外側に引くと、カバー１１の先端部にある振れ止め部３５が室外側に押し曲げられると共に、バールＳの先端Ｓ１が連結壁２１を滑って連結壁２１側から室内壁側１９に移動し、連結壁２１と室内側壁１９とのコーナ２９が湾曲しているのでバールＳの先端Ｓ１は室内側壁１９を更に先端側に移動する（図２（ｂ））。
更に、バールＳを室外側に引くと、図２（ｃ）に示すように、バールＳは、バールＳ先端Ｓ１を支点とし、室外側壁１７との当接部Ｓ２を作用点として室外側壁１７の先端部１７ａを押圧する。このようにバールＳをてことした場合に、室外側壁１７の先端部１７ａは室内側壁の先端よりも連結壁２１側にあり、しかもバールの先端Ｓ１は室内側壁１９を滑って先端側に移動した位置にあるから、バールの先端（支点）Ｓ１と室外側壁１９との当接部（作用点）Ｓ２との距離Ｌ１を下記する比較例Ｌ２よりも短くでき、バールＳのてこによる作用点Ｓ２に作用する力を小さくできる。したがって、バールＳによりレール９が変形し難い。
比較例は、図２（ｄ）で示すように、室内側壁１９と連結壁２１とが成すコーナ２９を角（略直角）Ｗを形成し且つ室外側壁１７の先端部１７ａと室内側壁１９の先端部１９ａとを略同じ位置にしている。この比較例の場合には、コーナ２９の角ＷにバールＳの先端Ｓ１が係止してしまい、しかも室外側壁１７の先端部１７ａの位置が室内側壁１９の先端部１９ａの位置と略同じなので、バールの先端（支点）Ｓ１からバールＳと室外側壁１７との当接点（作用点）Ｓ２までの距離Ｌ２が距離Ｌ１よりも長くなっている。
したがって、本実施の形態と比較例とにおいてバールＳに同じ力を作用した場合に、バールＳと室外側壁１７との当接点（作用点）Ｓ２に作用する力は、本実施の形態のほうが小さい。
また、バールＳに大きな力をかけた場合でも、室外側壁１７の先端部１７ａは櫛状に形成されているので、櫛状部の歯部２５にバールＳが当接した場合には、そのバールＳが当たった一つの歯部２５のみが押し曲げられて変形し、他の歯部２５はほとんど変形することがないから、レールは部分的に押し曲げられるが、広い範囲に亘ってレールを変形させることができないため、シャッタースラット７を外すまでには至らない。
したがって、シャッタースラット７を外すためには、多数の箇所の歯部２５を一つ一つ押し曲げる必要があるので、シャッタースラット７をレール９から容易に外すことができず、レール破壊による侵入を防止できる。
更に、カバー１１が室外側壁１７の先端部（櫛状部）１７ａを室外側から隠しているので、外部から櫛状部が見えず外観がよい。また、櫛状部が室外側から見えないから、例えばレール９に差し込んだバールＳが櫛状部の隙間に位置した場合には、バールＳを引いた場合にはカバー１１のみが変形し室外側壁１７を変形させることができない。
したがって、本実施の形態によれば、バールＳによりレール９を変形させてシャッタースラット７を外しためには多大の労力と時間とを必要とするため、侵入をあきらめさせることができ、防犯性に優れる。
カバー１１に振れとめ部３５を設けているので、室外側壁１７を櫛状に形成した場合でもそれに影響されず、レールに振れ止め部を容易に設けることができ、シャッタースラットの動きを安定にすることができる。
【００１２】
本発明は、上述した実施の形態に限らず、本発明の要旨を逸脱しない範囲で種々変形可能である。
例えば、図４（ａ）（ｂ）に示すように、室外側壁１７の先端部に形成する櫛状部は歯部２５の先端を円弧状に形成してもよいし、歯部を略三角形状にしてもよく、櫛状部の形状は限定されない。
本発明は、サッシの室外側に取り付けたシャッターに設けることに限らず、車庫のシャター等、シャッターのみに用いるものであってもよい。
【図面の簡単な説明】
【００１３】
【図１】（ａ）は本実施の形態にかかるシャッター用ガイドレールを備えるサッシの横断面図であり、（ｂ）はレールの室外側壁の一部を室外側から見た正面図である。
【図２】シャッター用ガイドレールの作用を説明する図であり、（ａ）〜（ｃ）は本実施の形態の作用を示し、（ｄ）は比較例である。
【図３】図１（ａ）に示すサッシの縦断面図である。
【図４】実施例の変形例を示したレールの室外側壁の正面図である。
【符号の説明】
【００１４】
１      シャッター用ガイドレール
７      シャッタースラット
７ａ    左右側端
９      レール
１１    カバー
１７    室外側壁
１７ａ  先端部（櫛状部）
１９    室内側壁
２１    連結壁
２９    コーナ
３５    振れ止め部
【図１】
2005207017.tif 000003
【図２】
2005207017.tif 000004
【図３】
2005207017.tif 000005
【図４】
2005207017.tif 000006